(57)【要約】【課題】装着具のベルトに対する固定力を向上する。【解決手段】第一の縦杆部９、第二の縦杆部10、第三の縦杆部11を横並びに並設すると共に、これらの間に腰ベルト６が挿通可能な第一の空隙12、第二の空隙13を形成する。第一の空隙12、第二の空隙13にはベルト６が係止可能な上部12Ａ，13Ａを有する。腰ベルト６の上縁６Ａを穴上部５Ａ、第一の上部９Ａ、第二の上部10Ａ、第三の上部11Ａに沿って一直線状に配置でき、腰ベルト６に緊張力が一様に作用することで、ツールホルダを吊り下げた腰ベルト６を腰まわりに密着して安定性良く取付けすることができる。【選択図】図１
0003155323.tif 000002
【実用新案登録請求の範囲】
【請求項１】
装着具本体のベルトの通し方向の途中に縦杆部を設けると共に、該縦杆部に隣接して前記ベルトが挿通可能な空隙を設け、該空隙の空隙上部に前記ベルトが係止可能に設けられることを特徴とするベルトの吊り下げ式装着具。
【請求項２】
装着具本体の表面のベルトの通し方向にベルト通し穴を設け、前記通し方向の途中に前記表面との間に前記ベルトを挿入可能な第一の縦杆部と、第二の縦杆部を横並びし、前記第一の縦杆部及び前記第二の縦杆部間に前記ベルトが挿通可能な第一の空隙を設け、この第一の空隙の第一の空隙上部に前記ベルトが係止可能に設けられることを特徴とするベルトの吊り下げ式装着具。
【請求項３】
前記第一の縦杆部の第一の上部及び前記第二の縦杆部の第二の上部を前記ベルト通し穴の穴上部とほぼ同じ高さにそれぞれ前記表面に固定したことを特徴とする請求項２記載のベルトの吊り下げ式装着具。
【請求項４】
前記第二の縦杆部と前記表面との間に前記ベルトを挿入可能に設け、前記第一の縦杆部における前記第二の縦杆部の反対側で前記通し方向の途中に前記表面と間に前記ベルトを挿入可能な第三の縦杆部を横並びすると共に、この第三の縦杆部と前記表面には第三の縦杆部の第三の上部を前記ベルト通し穴の穴上部とほぼ同じ高さに前記表面に固定し、前記第二の縦杆部及び前記第三の縦杆部間に前記ベルトが挿通可能な第二の空隙を設け、該第二の空隙の第二の空隙上部に前記ベルトが係止可能に設けることを特徴とする請求項３記載のベルトの吊り下げ式装着具。
【請求項５】
前記第二の縦杆部を前記表面に固定し、前記第一の縦杆部における前記第二の縦杆部に対向する縦縁に、突部を設けたことを特徴とする請求項３記載のベルトの吊り下げ式装着具。
【請求項６】
前記縦杆部の下部を自由端に形成したことを特徴とする請求項４に記載のベルトの吊り下げ式装着具。
【請求項７】
前記第一の縦杆部の第一の下部を自由端に形成したことを特徴とする請求項５記載のベルトの吊り下げ式装着具。
【請求項８】
前記第一の縦杆部、前記第二の縦杆部及び前記第三の縦杆部において、隣接する一方の前記縦杆部の前記下部を前記表面側に向け、他方の前記縦杆部の前記下部を前記表面側と反対側に向け、前記ベルトが腰ベルトであって、前記縦杆部の縦長さより、前記下部と前記ベルト通し穴の穴下部間の高さを大きく形成したことを特徴とする請求項６記載のベルトの吊り下げ式装着具。
【考案の詳細な説明】
【技術分野】
【０００１】
本考案は、工具類を収容する吊り下げ式ツールホルダ、携帯電話類を収容する吊り下げ式携帯電話ケースなどのベルトに吊り下げて使用するベルトの吊り下げ式装着具に関するものである。
【背景技術】
【０００２】
従来、この種のツールホルダとして、収納部を有するツールホルダ本体の上部に腰ベルトへの装着部が設けられ、この装着部には腰ベルトが横向きとなって貫通する横向きのベルト通し穴が設けられており、このベルト通し穴は挿入した腰ベルトとの隙間は大きく形成されている（例えば、特許文献１）。
【０００３】
また、腰ベルトの挿通具を設けた横長なベルト本体と、このベルト本体に設けられる工具類の吊り下げ用受け部を備えた工具類の吊り下げ用ベルトも知られている（例えば、特許文献２）。
【特許文献１】実用新案登録第３０７７０５６号公報
【特許文献２】実用新案登録第３１５２３１８号公報
【考案の開示】
【考案が解決しようとする課題】
【０００４】
従来技術においては、腰ベルトが貫通する横向きのベルト通し穴によってツールホルダを確実に吊り下げて保持できるものであったが、ベルト通し穴と腰ベルトとの間の固定力が比較的小さいので、ツールホルダが腰ベルトに対して横滑りしてしまい、ツールホルダを腰ベルトの定位置に保持しにくかったという問題があった。
【０００５】
解決しようとする問題点は、ベルト通し穴を備えたベルトの吊り下げ式装着具において、装着具のベルトに対する固定力を向上する点である。
【課題を解決するための手段】
【０００６】
請求項１の考案は、装着具本体のベルトの通し方向の途中に縦杆部を設けると共に、該縦杆部に隣接して前記ベルトが挿通可能な空隙を設け、該空隙の空隙上部に前記ベルトが係止可能に設けられることを特徴とするベルトの吊り下げ式装着具である。
【０００７】
請求項２の考案は、装着具本体の表面のベルトの通し方向にベルト通し穴を設け、前記通し方向の途中に前記表面との間に前記ベルトを挿入可能な第一の縦杆部と、第二の縦杆部を横並びし、前記第一の縦杆部及び前記第二の縦杆部間に前記ベルトが挿通可能な第一の空隙を設け、この第一の空隙の第一の空隙上部に前記ベルトが係止可能に設けられることを特徴とするベルトの吊り下げ式装着具である。
【０００８】
請求項３の考案は、前記第一の縦杆部の第一の上部及び前記第二の縦杆部の第二の上部を前記ベルト通し穴の穴上部とほぼ同じ高さにそれぞれ前記表面に固定したことを特徴とする請求項２記載のベルトの吊り下げ式装着具である。
【０００９】
請求項４の考案は、前記第二の縦杆部と前記表面との間に前記ベルトを挿入可能に設け、前記第一の縦杆部における前記第二の縦杆部の反対側で前記通し方向の途中に前記表面と間に前記ベルトを挿入可能な第三の縦杆部を横並びすると共に、この第三の縦杆部と前記表面には第三の縦杆部の第三の上部を前記ベルト通し穴の穴上部とほぼ同じ高さに前記表面に固定し、前記第二の縦杆部及び前記第三の縦杆部間に前記ベルトが挿通可能な第二の空隙を設け、該第二の空隙の第二の空隙上部に前記ベルトが係止可能に設けることを特徴とする請求項３記載のベルトの吊り下げ式装着具である。
【００１０】
請求項５の考案は、前記第二の縦杆部を前記表面に固定し、前記第一の縦杆部における前記第二の縦杆部に対向する縦縁に、突部を設けたことを特徴とする請求項３記載のベルトの吊り下げ式装着具である。
【００１１】
請求項６の考案は、前記縦杆部の下部を自由端に形成したことを特徴とする請求項４に記載のベルトの吊り下げ式装着具である。
【００１２】
請求項７の考案は、前記第一の縦杆部の第一の下部を自由端に形成したことを特徴とする請求項５記載のベルトの吊り下げ式装着具である。
【００１３】
請求項８の考案は、前記第一の縦杆部、前記第二の縦杆部及び前記第三の縦杆部において、隣接する一方の前記縦杆部の前記下部を前記表面側に向け、他方の前記縦杆部の前記下部を前記表面側と反対側に向け、前記ベルトが腰ベルトであって、前記縦杆部の縦長さより、前記下部と前記ベルト通し穴の穴下部間の高さを大きく形成したことを特徴とする請求項６記載のベルトの吊り下げ式装着具である。
【考案の効果】
【００１４】
請求項１考案によれば、ベルトが隙間上部係止部に係止されるとベルトが縦杆部に圧着して装着具本体をベルトに固定することができる。
【００１５】
請求項２考案によれば、ベルトが隙間上部に係止されるとベルトが第一の縦杆部及び第二の縦杆部に圧着して装着具本体をベルトに固定することができる。
【００１６】
請求項３の考案によれば、ベルトを穴上部、第一の上部、第二の上部に沿って一直線状に配置でき、この結果ベルトに緊張力が一様に作用することができる。
【００１７】
請求項４の考案によれば、ベルトが第一の縦杆部、第二の縦杆部及び第三の縦杆部に圧着して装着具本体をベルトに固定することができる。
【００１８】
請求項５の考案によれば、ベルトに突部が局部的に圧接して、固定力を発揮することができる。
【００１９】
請求項６の考案によれば、ベルトを自由端の下部より簡単に縦杆部側に挿入することができる。
【００２０】
請求項７の考案によれば、ベルトを第一の下部の自由端の下部より簡単に縦杆部側に挿入することができる。
【００２１】
請求項８の考案によれば、穴下部側に挿入したベルトを上方へ移動させて縦杆部、空隙に挿入するようにすることで、装着具本体を簡単にベルトに取り付けることができる。
【考案を実施するための最良の形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
図１〜図３は実施例１を示しており、ベルトの吊り下げ式装着具であるツールホルダの装着具本体であるツールホルダ本体１には、上部を開口した収納部材２が取り付けられ、この収納部材２の外側には収納ポケット３が設けられている。そして、収納部材２や収納ポケット３に種々の工具類や部品類等被収納物（いずれも図示せず）を収納するようになっている。
【００２４】
ツールホルダ本体１の裏面側の表面４に左右一対のベルト通し穴５が平行に設けられている。尚、表面４は表面側、或いは内面側にあるようなものでもよい。このベルト通し穴５は、ツールホルダ本体１の表面４のベルトである腰ベルト６の通し方向Ａ、実施例では横向きになっている腰ベルト６に対して、表面４の左右に縦向きのベルト通し部材７が設けられており、このベルト通し部材７によって左右方向に貫通部が向かうベルト通し穴５が設けられ、これら左右一対のベルト通し穴５を接続することで腰ベルト６の通し方向Ａが形成されるようになっている。ベルト通し部材７は穴上部５Ａ側を折り返してその表面４側の端部７Ａを表面４に接続し、ベルト通し部材７の下部７Ｂを表面４に接続している。
【００２５】
腰ベルト６の通し方向Ａの途中であって、左右一対のベルト通し穴５の中間に配置される腰ベルト６の固定具８は、横並びする一対の細く縦長な板状や棒状などの第一の縦杆部９と縦長な第二の縦杆部10、さらに第一の縦杆部９の右側、すなわち第二の縦杆部10と反対側に縦長な第三の縦杆部11を設けている。縦杆部は実施例のように単独で設けられる他に、他の部材と共に縦長形状に設けられるようなものでもよい。      このため、通し方向Ａの途中であって、第一の縦杆部９と第二の縦杆部10間に第一の空隙12を設けると共に、第一の縦杆部９と第三の縦杆部11の間に第二の空隙13を形成している。第一の空隙12と第二の空隙13は縦長形状に形成されている。前記第一の縦杆部９、第二の縦杆部10及び第三の縦杆部11のそれぞれの縦長さＬは、腰ベルト６の縦幅Ｍとほぼ同じ長さかやや長く形成されており、また、第一の縦杆部９、第二の縦杆部10及び第三の縦杆部11、さらに第一の空隙12、第二の空隙13の横幅Ｎは、腰ベルト６の厚みＯより大きく形成されている。また、第一の縦杆部９、第二の縦杆部10及び第三の縦杆部11のそれぞれの第一の上部９Ａ、第二の上部10Ａ及び第三の上部11Ａは、ベルト通し穴５の穴上部５Ａとほぼ同じ高さにそれぞれ配置されている。これら第一の上部９Ａ、第二の上部10Ａ及び第三の上部11Ａは縦断面がＬ字状に形成されて、表面４より外側に張り出して設けられており、この張り出し長さは腰ベルト６の厚みＯと同じかほぼ同じ程度に形成されていることで、第一の縦杆部９と表面４との間、第二の縦杆部10と表面４との間及び第三の縦杆部11と表面４との間には、それぞれ腰ベルト６が通し可能な隙間14が形成されている。そしてこれらは一つの取り付け座15の先端に接続されており、この取り付け座15の基端が表面４に鋲や接着など固定手段15Ａを介して固定されている。一方、第一の縦杆部９、第二の縦杆部10及び第三の縦杆部11のそれぞれの第一の下部９Ｂ、第二の下部10Ｂ及び第三の下部11Ｂは、自由端となっており、両側に配置される第二の下部10Ｂ及び第三の下部11Ｂは、表面４側に向くように下向きに形成されており、第一の下部９Ｂは、表面４と反対側に向くように下向きに形成されている。そして、第一の空隙12、第二の空隙13のそれぞれの第一の空隙上部12Ａ，第二の空隙上部13Ａは第一の上部９Ａ、第二の上部10Ａ及び第三の上部11Ａとほぼ同じ高さに配置されており、これら第一の空隙上部12Ａ，第二の空隙上部13Ａにベルト６の上縁６Ａが係止するようになっている。
【００２６】
また、第一の縦杆部９の第一の上部９Ａと第一の下部９Ｂ間などの縦長さＬより、第一の下部９Ｂと第一のベルト通し穴５の穴下部５Ｂ間の高さＨを大きく形成している。第二の縦杆部10、第三の縦杆部11も同様に形成されている。
【００２７】
次に前記構成について、その作用を説明する。ツールホルダ本体１に腰ベルト６を取り付けるには、まず腰ベルト６の先端を一方のベルト通し穴５に通した後に、この先端を第二の縦杆部10と表面４との間に挿入し、そして先端を第一の空隙12に通して第一の縦杆部９の外側に配置する。さらに先端を第二の空隙13に通して第三の縦杆部11と表面４との間を通した後に、他方のベルト通し穴５に挿入するものである。そして、腰ベルト６を腰に巻き付けて使用する。
【００２８】
このようなベルト通し方法とは別に、二点鎖線に示すように、腰ベルト６の先端を一方のベルト通し穴５の穴下部５Ｂ側に通した後、第二の縦杆部10、第一の縦杆部９、第三の縦杆部11のそれぞれの第二の下部10Ｂ、第一の下部９Ｂ、第三の下部11Ｂに触れないようにして他方のベルト通し穴５の下部側に先端を通す。次に、腰ベルト６を上方に移動すると共に、この腰ベルト６の途中を第二の縦杆部10と表面４、第一の縦杆部９の外側、第三の縦杆部11と表面４との間を通すように配置し、そして、腰ベルト６を腰に巻き付けて使用するようにしてもよい。
【００２９】
腰に腰ベルト６を介してツールホルダ本体１を装着した状態において、ツールホルダ本体１に工具や部品類（いずれも図示せず）を収納することで、工具や部品類の重量が左右一対のベルト通し部材７に負荷されてツールホルダ本体１がやや落ち込んで腰ベルト６に緊張力が生ずると、腰ベルト６のたわみが取れて、この結果腰ベルト６は、その上縁６Ａ側が第一の空隙上部12Ａ，第二の空隙上部13Ａに係止し、さらに第二の縦杆部10の表面４側、第一の縦杆部９の外側、第三の縦杆部11の表面４側に圧着して両者間に摩擦抵抗が生ずる。このように、工具や部品類の重量によってツールホルダ本体１が第一の縦杆部９、第二の縦杆部10、第三の縦杆部11に対して相対的に降下することで、腰ベルト６の上縁６Ａに第一の上部９Ａ、第二の上部10Ａ、第三の上部11Ａが載置し、腰ベルト６を定位置、すなわち上縁６Ａをベルト通し穴５の上部に配置できることで、上縁６Ａを一直線状に配置でき、この結果ツールホルダ本体１を吊り下げて装着した腰ベルト６を腰周りに密着して安定性よく体に取り付けることができる。
【００３０】
以上のように、前記実施例では請求項１に対応して、ツールホルダ本体１の腰ベルト６の通し方向Ａの途中に第一の縦杆部９を設けると共に、第一の縦杆部９に隣接してベルト６が挿通可能な第一の空隙12を設け、第一の空隙12の第一の空隙上部12Ａに腰ベルト６が係止可能に設けられることで、ツールホルダ本体１に工具類を収容すると、ツールホルダ本体１自体、工具類の重量がベルト通し穴５を介して腰ベルト６に伝達されて腰ベルト６が緊張することで、腰ベルト６が第一の縦杆部に圧着してツールホルダ本体１を腰ベルト６に固定することができる。
【００３１】
前記実施例では請求項２に対応して、ツールホルダ本体１の表面４の腰ベルト６の通し方向Ａにベルト通し穴５を設け、この通し方向Ａの途中に第一の縦杆部９及び第二の縦杆部10を横並びに並設し、第一の縦杆部９及び第二の縦杆部10間に腰ベルト６が挿通可能な第一の空隙12を設け、この第一の空隙12の第一の空隙上部12Ａにベルト６が係止可能に設けられることで、ツールホルダ本体１に工具類を収容すると、ツールホルダ本体１自体、工具類の重量がベルト通し穴５を介して腰ベルト６に伝達されて腰ベルト６が緊張することで、腰ベルト６が第一の縦杆部９及び第二の縦杆部10に圧着してツールホルダ本体１を腰ベルト６に固定することができる。
【００３２】
前記実施例では請求項３に対応して、第一の縦杆部９の第一の上部９Ａ及び第二の縦杆部10の第二の上部10Ａをベルト通し穴５の穴上部５Ａとほぼ同じ高さにそれぞれ配置したことで、腰ベルト６の上縁６Ａを穴上部５Ａ、第一の上部９Ａ、第二の上部10Ａに沿って一直線状に配置でき、この結果腰ベルト６に緊張力が一様に作用するので、ツールホルダを吊り下げた腰ベルト６を腰まわりに密着して安定性良く取付けすることができる。
【００３３】
前記実施例では請求項４に対応して、前記第二の縦杆部10と前記表面４との間に腰ベルト６を挿入可能に設け、第一の縦杆部９における第二の縦杆部10の反対側に第三の縦杆部11を横並びに並設すると共に、この第三の縦杆部11の第三の上部11Ａをベルト通し穴５の穴上部５Ａとほぼ同じ高さに配置し、第二の縦杆部10及び第三の縦杆部11間に腰ベルト６が挿通可能な第二の空隙13を設け、第二の空隙13の第二の空隙上部13Ａにベルト６が係止可能に設けられることにより、腰ベルト６を第二の縦杆部10、第一の空隙12、第一の縦杆部９、第二の空隙13及び第三の縦杆部11に通すことで、いっそう確実な固定力を発揮することができる。
【００３４】
前記実施例では請求項６に対応して、第一の縦杆部９、第二の縦杆部10、第三の縦杆部11の第一の下部９Ｂ、第二の下部10Ｂ、第三の下部11Ｂを自由端に形成したで、腰ベルト６を下方より第一の縦杆部９、第一の空隙12等に簡単に挿入することができる。
【００３５】
前記実施例では請求項７に対応して、第二の下部10Ｂ、第三の下部11Ｂを表面４側に向け、第一の下部９Ｂを表面４側と反対側に向けたことで、第二の縦杆部10、第三の縦杆部11では腰ベルト６は表面４側に向けた第二の下部10Ｂ、第三の下部11Ｂにより案内されて外側より、すなわち表面４と反対側より挿入し易くなり、第一の縦杆部９では腰ベルト６は表面４側と反対側に向けた第一の下部９Ｂにより案内されて内側より、表面４側より挿入し易くなり、簡単に腰ベルト６を第一の縦杆部９、第一の空隙12等にいっそう簡単に挿入することができる。さらに、請求項７に対応して、第一の縦杆部９の第一の上部９Ａ間と第一の下部９Ｂ間の縦長さＬ、すなわち第二の縦杆部10の第二の上部10Ａと第二の下部10Ｂ間、第三の縦杆部11の第三の上部11Ａと第三の下部11Ｂ間も同じ縦長さＬより、第一の下部９Ｂとベルト通し穴５の穴下部５Ｂ間の高さＨ、すなわち第二の下部10Ｂとベルト通し穴５の穴下部５Ｂ間、第三の下部11Ｂとベルト通し穴５の穴下部５Ｂ間の高さＨを大きく形成したことで、直接腰ベルト６の先端を挿入するのではなく、いったん腰ベルト６を第一の縦杆部９等と触れるようなことなく、二点鎖線に示すようにベルト通し穴５の穴下部５Ｂ側間に挿入した後に、この腰ベルト６を上方へ移動させると共に、第一の縦杆部９、第一の空隙12に挿入するようにすることで、ツールホルダを簡単に腰ベルト６に取り付けることができる。
【実施例２】
【００３６】
次に他の実施例について説明する。尚、前記実施例１と同一部分には同一符号を付し、その詳細な説明を省略する。
【００３７】
図４〜図７は実施例２を示しており、実施例２においては、表面４の上部中央にベルト通し部材７を介してベルト通し穴５が腰ベルト６の通し方向Ａが横向きになるように設けられている。そして、このベルト通し穴５の左右に、腰ベルト６の固定具８´が設けられている。この固定具８´は、表面４と間に腰ベルト６を挿入可能な隙間14を有する第一の縦杆部９と、表面４に鋲、接着など固定手段15Ａを介して密着した第二の縦杆部10と並設し、第一の縦杆部９及び第二の縦杆部10間に腰ベルト６が挿通可能な第一の空隙12を設け、さらに第一の縦杆部９における第二の縦杆部10に対向する縦縁９Ｃに、突部16を縦縁９Ｃの長さ方向に沿って複数並設したものである。そして、第一の縦杆部９の第一の下部９Ｂは自由端に形成されると共に、外側に下向きとなって傾斜している。
【００３８】
したがって、腰ベルト６をベルト通し穴５に通してその先端を第一の空隙12を通して第一の縦杆部９と表面４との隙間14を通らせる。そしてツールホルダ本体１に工具類を収容すると、そのツールホルダ本体１自体の重量、さらには工具類の重量によって第一の縦杆部９は腰ベルト６に相対的に下降し、腰ベルト６の上縁６Ａは第一の上部９Ａに当接し、さらに前記重量が腰ベルト６に負荷されると、腰ベルト６に緊張力が生じて一直線状に形成される。このようにベルトが直線的に形成されると、第一の縦杆部９に当接する腰ベルト６は表面４側に、一方第二の縦杆部10に当接する腰ベルト６は外側、すなわち表面４とは反対側に位置することになり、この結果腰ベルト６は第一の空隙12において平面視では斜めになり、その腰ベルト６の外側表部は突部16に対向すると共に、突部16が外側表部に圧接して腰ベルト６に第一の縦杆部９、ひいてはツールホルダ本体１を固定することができる。
【００３９】
以上のように、前記実施例では、前述のように腰ベルト６が緊張することで、腰ベルト６が第一の縦杆部９に圧着してツールホルダ本体１を腰ベルト６に固定することができる他に、請求項５に対応して、第二の縦杆部10を表面４に固定し、第一の縦杆部９における第二の縦杆部10に対向する縦縁９Ｃに、突部16を設けたことで、腰ベルト６に突部16が局部的に圧接して、固定力を発揮することができる。
【００４０】
また、請求項８に対応して、第一の縦杆部９の第一の下部９Ｂを自由端に形成したことで、腰ベルト６を自由端となっている第一の下部９Ｂ側の開口側より簡単に挿入することができる。
【実施例３】
【００４１】
図８に示した実施例３においては、実施例２における突部16がないもので、このような第一の縦杆部９における直線状な縦縁９Ｃであっても、腰ベルト６が緊張することで、腰ベルト６が第一の縦杆部９に圧着してツールホルダ本体１を腰ベルト６に固定することができる。
【実施例４】
【００４２】
図９、１０に示した実施例４においては、装着具本体である工具類の吊り下げ用ベルト21は、腰ベルト６のベルト通し穴５´を形成するベルト通し部材７´を設けた横長なベルト本体22と、このベルト本体22に設けられる工具類の吊り下げ用受け部23を備えたものである。そして、吊り下げ用ベルト21における腰ベルト６の通し方向Ａの両端に、腰ベルト６の固定具８´が設けられている。この固定具８の第一の縦杆部９の第二の縦杆部10に対向する縦縁９Ｃに、突部16を縦縁９Ｃの長さ方向に沿って複数並設している。
【００４３】
従って、腰ベルト６をベルト通し穴５に通してその先端を第一の空隙12を通して第一の縦杆部９と表面４との隙間14を通らせる。そしてベルト本体22の吊り下げ用受け部23に工具類を吊り下げると、そのベルト本体22自体の重量、さらには工具類の重量によって第一の縦杆部９は腰ベルト６に相対的に下降し、腰ベルト６の上縁６Ａは第一の上部９Ａに当接し、さらに前記重量が腰ベルト６に負荷されると、腰ベルト６に緊張力が生じて一直線状に形成される。このようにベルトが直線的に形成されると、第一の縦杆部９に当接する腰ベルト６は表面４側に、一方第二の縦杆部10に当接する腰ベルト６は外側、すなわち表面４とは反対側に位置することになり、この結果腰ベルト６は第一の空隙12において平面視では斜めになり、その腰ベルト６の外側表部は突部16に対向すると共に、突部16が外側表部に圧接して腰ベルト６に第一の縦杆部９、ひいてはベルト本体22を固定することができる。
【００４４】
以上のように、前記実施例では、前述のように腰ベルト６が緊張することで、腰ベルト６が第一の縦杆部９に圧着してベルト本体22を腰ベルト６に固定することができる他に、第一の縦杆部９における第二の縦杆部10に対向する縦縁９Ｃに、突部16を設けたことで、腰ベルト６に突部16が局部的に圧接して、固定力を発揮することができる。
【実施例５】
【００４５】
図１１に示した実施例５においては、実施例４における突部16がないもので、このような第一の縦杆部９における直線状な縦縁９Ｃであっても、腰ベルト６が緊張することで、腰ベルト６が第一の縦杆部９に圧着してベルト本体22を腰ベルト６に固定することができる。
【産業上の利用可能性】
【００４６】
以上のように本考案にかかるベルトの吊り下げ式装着具は、前記実施例に限定されず、例えば携帯電話ホルダー、キーホルダーなどあらゆるベルトの吊り下げ式装着具に適用できる。
【図面の簡単な説明】
【００４７】
【図１】本考案の第１実施例を示す全体斜視図である。
【図２】同要部の斜視図である。
【図３】同断面図である。
【図４】本考案の第２実施例を示す正面図である。
【図５】同腰ベルトを通した状態の正面図である。
【図６】同要部の斜視図である。
【図７】同固定具の正面図である。
【図８】本考案の第３実施例を示す正面図である。
【図９】本考案の第４実施例を示す正面図である。
【図１０】同要部の正面図である。
【図１１】本考案の第５実施例を示す正面図である。
【符号の説明】
【００４８】
１  ツールホルダ本体（装着具本体）
４  表面
５  ベルト通し穴
５Ａ  穴上部
６  腰ベルト（ベルト）
９  第一の縦杆部
９Ａ  第一の上部
９Ｂ  第一の下部
９Ｃ  縦縁
10  第二の縦杆部
10Ａ  第二の上部
10Ｂ  第二の下部
11  第三の縦杆部
11Ａ  第三の上部
11Ｂ  第三の下部
12  第一の空隙
12Ａ  第一の空隙上部
13  第二の空隙
13Ａ  第二の空隙上部
16  突部
Ａ  通し方向
Ｌ  縦長さ
Ｈ  高さ
【図１】
0003155323.tif 000003
【図２】
0003155323.tif 000004
【図３】
0003155323.tif 000005
【図４】
0003155323.tif 000006
【図５】
0003155323.tif 000007
【図６】
0003155323.tif 000008
【図７】
0003155323.tif 000009
【図８】
0003155323.tif 000010
【図９】
0003155323.tif 000011
【図１０】
0003155323.tif 000012
【図１１】
0003155323.tif 000013